【手続補正書】
【提出日】平成18年10月18日(2006.10.18)
【手続補正１】
【補正対象書類名】特許請求の範囲
【補正対象項目名】全文
【補正方法】変更
【補正の内容】
【特許請求の範囲】
【請求項１】
生体内に経口投入されるカプセル状の筐体と、
前記生体内の組織表面と前記筐体との間の異物を除去するための異物除去手段とを備えていることを特徴とする体内装置。
【請求項２】
請求項１記載の体内装置において、
前記筐体内に、該筐体の観察壁面を通して前記生体内を観察する観察手段を備え、
前記異物除去手段が、前記観察壁面と前記生体内の組織表面との間の異物を除去することを特徴とする体内装置。
【請求項３】
請求項１記載の体内装置において、
前記筐体内に、投薬開口部を通して所望の部位に薬剤を投与する投薬手段を備え、  
前記異物除去手段が、前記投薬開口部と前記生体内の組織表面との間の異物を除去することを特徴とする体内装置。
【請求項４】
請求項１から３のいずれか１項に記載の体内装置において、
前記異物除去手段が、前記筐体と前記生体内の組織表面とを密着させることで、前記異物を除去する密着補助手段であることを特徴とする体内装置。
【請求項５】
請求項１から３のいずれか１項に記載の体内装置において、
前記異物除去手段が、空気を放出することによって前記異物を除去する空気放出手段であることを特徴とする体内装置。
【請求項６】
請求項４に記載の体内装置において、
前記筐体内に、前記密着補助手段を備えていることを特徴とする体内装置。
【請求項７】
請求項４に記載の体内装置において、
前記密着補助手段が、生体外から前記筐体に作用を発生する作用発生部を備えた体外密着補助装置であることを特徴とする体内装置。
【請求項８】
請求項４に記載の体内装置において、
前記密着補助手段が、生体外から前記筐体に作用を発生する作用発生部を備えた体外密着補助装置と、前記作用発生部が発生した作用を受ける被作用部とからなることを特徴とする体内装置。
【請求項９】
請求項６に記載の体内装置において、
前記筐体が、２つの開口部を備え、
前記密着補助手段が、前記一方の開口部で前記生体内の流体を吸引すると共に、吸引した流体を前記他方の開口部から排出する流体移送手段であり、
該流体移送手段によって、前記筐体が前記生体内の組織表面に密着することを特徴とする体内装置。
【請求項１０】
請求項６に記載の体内装置において、
前記密着補助手段が、装置全体の比重を生体内に存在する前記流体の比重よりも大きく設定した比重差であることを特徴とする体内装置。
【請求項１１】
請求項７に記載の体内装置において、
前記作用発生部が、前記生体に押し付ける押圧部であることを特徴とする体内装置。
【請求項１２】
請求項８に記載の体内装置において、
前記作用発生部が磁場発生装置であり、
前記被作用部が、永久磁石または強磁性体であることを特徴とする体内装置。
【請求項１３】
請求項７又は８に記載の体内装置において、
前記筐体内にデータを送信する送信手段を備え、
前記作用発生部に前記送信手段から送信されたデータを表示する表示部を備えたことを特徴とする体内装置。
【請求項１４】
請求項７又は８に記載の体内装置において、
前記体外密着補助装置に前記筐体の位置を検知する位置検知手段を備えたことを特徴とする体内装置。
【請求項１５】
請求項７又は８に記載の体内装置において、
前記筐体内に受電用アンテナを備え、
前記作用発生部に給電用アンテナを備えたことを特徴とする体内装置。
【手続補正２】
【補正対象書類名】明細書
【補正対象項目名】発明の名称
【補正方法】変更
【補正の内容】
【発明の名称】体内装置
【手続補正３】
【補正対象書類名】明細書
【補正対象項目名】０００１
【補正方法】変更
【補正の内容】
【０００１】
本発明は、生体内に経口投入される体内装置に関する。
【手続補正４】
【補正対象書類名】明細書
【補正対象項目名】０００６
【補正方法】変更
【補正の内容】
【０００６】
この発明は、このような事情を考慮してなされたもので、その目的は、洗腸を行わなくても、消化管内（特に腸内）の異物を除去できる体内装置を提供することである。
【手続補正５】
【補正対象書類名】明細書
【補正対象項目名】０００７
【補正方法】変更
【補正の内容】
【０００７】
本発明は、上記の課題を解決するため、以下の手段を採用している。
請求項１に係る発明は、生体内に経口投入されるカプセル状の筐体と、前記生体内の組織表面と前記筐体との間の異物を除去するための異物除去手段とを備えている体内装置を提供する。
【手続補正６】
【補正対象書類名】明細書
【補正対象項目名】０００８
【補正方法】変更
【補正の内容】
【０００８】
請求項２に係る発明は、請求項１記載の体内装置において、前記筐体内に、該筐体の観察壁面を通して前記生体内を観察する観察手段を備え、前記異物除去手段が、前記観察壁面と前記生体内の組織表面との間の異物を除去する体内装置を提供する。
【手続補正７】
【補正対象書類名】明細書
【補正対象項目名】０００９
【補正方法】変更
【補正の内容】
【０００９】
請求項３に係る発明は、請求項１記載の体内装置において、前記筐体内に、投薬開口部を通して所望の部位に薬剤を投与する投薬手段を備え、前記異物除去手段が、前記投薬開口部と前記生体内の組織表面との間の異物を除去する体内装置を提供する。
【手続補正８】
【補正対象書類名】明細書
【補正対象項目名】００１０
【補正方法】変更
【補正の内容】
【００１０】
請求項４に係る発明は、請求項１から３のいずれか１項に記載の体内装置において、前記異物除去手段が、前記筐体と前記生体内の組織表面とを密着させることで、前記異物を除去する密着補助手段である体内装置を提供する。
【手続補正９】
【補正対象書類名】明細書
【補正対象項目名】００１１
【補正方法】変更
【補正の内容】
【００１１】
請求項５に係る発明は、請求項１から３のいずれか１項に記載の体内装置において、前記異物除去手段が、空気を放出することによって前記異物を除去する空気放出手段である体内装置を提供する。
【手続補正１０】
【補正対象書類名】明細書
【補正対象項目名】００１２
【補正方法】変更
【補正の内容】
【００１２】
請求項６に係る発明は、請求項４に記載の体内装置において、前記筐体内に、前記密着補助手段を備えている体内装置を提供する。
【手続補正１１】
【補正対象書類名】明細書
【補正対象項目名】００１３
【補正方法】変更
【補正の内容】
【００１３】
請求項７に係る発明は、請求項４に記載の体内装置において、前記密着補助手段が、生体外から前記筐体に作用を発生する作用発生部を備えた体外密着補助装置である体内装置を提供する。
【手続補正１２】
【補正対象書類名】明細書
【補正対象項目名】００１４
【補正方法】変更
【補正の内容】
【００１４】
請求項８に係る発明は、請求項４に記載の体内装置において、前記密着補助手段が、生体外から前記筐体に作用を発生する作用発生部を備えた体外密着補助装置と、前記作用発生部が発生した作用を受ける被作用部とからなる体内装置を提供する。
【手続補正１３】
【補正対象書類名】明細書
【補正対象項目名】００１５
【補正方法】変更
【補正の内容】
【００１５】
請求項９に係る発明は、請求項６に記載の体内装置において、前記筐体が、２つの開口部を備え、前記密着補助手段が、前記一方の開口部で前記生体内の流体を吸引すると共に、吸引した流体を前記他方の開口部から排出する流体移送手段であり、該流体移送手段によって、前記筐体が前記生体内の組織表面に密着する体内装置を提供する。
【手続補正１４】
【補正対象書類名】明細書
【補正対象項目名】００１６
【補正方法】変更
【補正の内容】
【００１６】
請求項１０に係る発明は、請求項６に記載の体内装置において、前記密着補助手段が、装置全体の比重を生体内に存在する前記流体の比重よりも大きく設定した比重差である体内装置を提供する。
【手続補正１５】
【補正対象書類名】明細書
【補正対象項目名】００１７
【補正方法】変更
【補正の内容】
【００１７】
請求項１１に係る発明は、請求項７に記載の体内装置において、前記作用発生部が、前記生体に押し付ける押圧部である体内装置を提供する。
【手続補正１６】
【補正対象書類名】明細書
【補正対象項目名】００１８
【補正方法】変更
【補正の内容】
【００１８】
請求項１２に係る発明は、請求項８に記載の体内装置において、前記作用発生部が磁場発生装置であり、前記被作用部が、永久磁石または強磁性体である体内装置を提供する。
【手続補正１７】
【補正対象書類名】明細書
【補正対象項目名】００１９
【補正方法】変更
【補正の内容】
【００１９】
請求項１３に係る発明は、請求項７又は８に記載の体内装置において、前記筐体内にデータを送信する送信手段を備え、前記作用発生部に前記送信手段から送信されたデータを表示する表示部を備えた体内装置を提供する。
【手続補正１８】
【補正対象書類名】明細書
【補正対象項目名】００２０
【補正方法】変更
【補正の内容】
【００２０】
請求項１４に係る発明は、請求項７又は８に記載の体内装置において、前記体外密着補助装置に前記筐体の位置を検知する位置検知手段を備えた体内装置を提供する。
【手続補正１９】
【補正対象書類名】明細書
【補正対象項目名】００２１
【補正方法】変更
【補正の内容】
【００２１】
請求項１５に係る発明は、請求項７又は８に記載の体内装置において、前記筐体内に受電用アンテナを備え、前記作用発生部に給電用アンテナを備えた体内装置を提供する。
【手続補正２０】
【補正対象書類名】明細書
【補正対象項目名】００２２
【補正方法】削除
【補正の内容】
【手続補正２１】
【補正対象書類名】明細書
【補正対象項目名】００２３
【補正方法】削除
【補正の内容】
【手続補正２２】
【補正対象書類名】明細書
【補正対象項目名】００２４
【補正方法】削除
【補正の内容】
【手続補正２３】
【補正対象書類名】明細書
【補正対象項目名】００２５
【補正方法】変更
【補正の内容】
【００２５】
本発明の体内装置によれば、異物除去手段により、腸内の洗腸を行わなくても体液等の異物の影響を受けることはない。また、密着補助手段により観察壁面と生体組織とを密着させた状態として生体組織の観察を行えるので、腸内の洗腸を行わなくても、体液、気体等の流体が視界を妨げることなく確実に生体組織の状態を観察することができる。特に、炎症性腸疾患の場合には、洗腸による症状の悪化を防止しつつ患部を含む消化管内の状態を確実に観察することができる。
【手続補正２４】
【補正対象書類名】明細書
【補正対象項目名】００２６
【補正方法】変更
【補正の内容】
【００２６】
以下、本発明に係る体内装置の実施形態を図面に基づいて説明する。
＜第１の実施形態＞
本実施形態の体内観察装置（体内装置）１は、図１に示すように、体内（生体内）に経口投入されるカプセル状の筐体２と、該筐体２の内部に設けられ、この筐体２に設けられた光学的に透明な観察壁面２ａを通して体内を観察する観察系（観察手段）３とを具備し、さらに、筐体２の内部には、観察時に観察壁面２ａと生体組織とを密着させる流体移送手段の吸引ポンプ装置（異物除去手段、密着補助手段）１０が設けられている。
【手続補正２５】
【補正対象書類名】明細書
【補正対象項目名】００２８
【補正方法】変更
【補正の内容】
【００２８】
上述した吸引ポンプ装置１０は、図示しない駆動源やバルブ類を備えたポンプ本体１１と、該ポンプ本体１１の上流及び下流に接続された管路１２，１３とを具備して構成される。
ポンプ本体１１は、観察壁面２ａが設けられた筐体２の前端側に開口する管路１２を通して吸引した体液、気体等の流体（以下、「体液」と呼ぶ）を、筐体２の後端に開口する管路１３を通して後方へ流出させる機能を有している。この結果、吸引ポンプ装置１０が筐体２の前方に存在している体液を開口部（一方の開口部）１２ａから吸液して後方の開口部（他方の開口部）１３ａから排液するので、筐体２の前方では、生体組織を吸引して観察壁面２ａに密着させた状態としての観察が可能となる。このように生体組織が吸引されて観察壁面２ａに密着する現象は、たとえば腸のように比較的細い管状の臓器において、特に、先端が閉塞しているような管状の臓器において有効となる。
なお、上述した吸引ポンプ装置１０は、ポンプ本体１１を逆転させることにより、筐体２の後端側の開口部１３ａから前端側の開口部１２ａに体液を流すこともできる。
【手続補正２６】
【補正対象書類名】明細書
【補正対象項目名】００３７
【補正方法】変更
【補正の内容】
【００３７】
＜第２の実施形態＞
次に、本発明に係る体内装置の第２の実施形態について、図４及び図５を参照して説明する。なお、第２の実施形態において上述した第１の実施形態と同一の構成要素については、同一の符号を付しその詳細な説明は省略する。
図４に示す第２の実施形態では、体内観察装置（体内装置）１Ａの筐体２が、観察壁面２ａの周囲から観察方向へ向けて突出する筒状部材として、フード７を備えている。このフード７は、観察方向の先端を開口させて観察壁面２ａの開口部１２ａから体液を吸引できるようになっている。
【手続補正２７】
【補正対象書類名】明細書
【補正対象項目名】００３８
【補正方法】変更
【補正の内容】
【００３８】
このようなフード７を設けることにより、体内観察装置１Ａの観察方向先端部が観察対象の生体組織にある程度近づいた場合、フード７によって吸引領域がある程度まで制限されるので、効率よく確実に吸い寄せることができる。
また、上述したフード７に代えて、たとえば図５に示す体内観察装置（体内装置）１Ａ′のように、観察壁面２ａの周囲から観察方向へ突出する筒状部材を筐体２の先端部に着脱自在としたフード７Ａを採用してもよい。このような構成とすれば、体内観察装置１Ａ′の用途、すなわち観察対象となる生体組織の形状や位置等に応じて最適な形状のフード７Ａを適宜選択交換して使用することができる。なお、図５に示した着脱自在のフード７Ａは、先端の開口部を傾斜させて開口部１２ａ側を短くした形状とされる。
また、上述したフード７，７Ａの全体、あるいは先端部近傍のみを柔軟な材質で制作することにより、吸引時に接触する生体組織に悪影響を及ぼすことが改善されるので、生体組織を無理なく吸引して観察することが可能になる。
【手続補正２８】
【補正対象書類名】明細書
【補正対象項目名】００３９
【補正方法】変更
【補正の内容】
【００３９】
＜第３の実施形態＞
続いて、本発明に係る体内装置の第３の実施形態について、図６及び図７を参照して説明する。なお、第３の実施形態において上述した第１及び第２の実施形態と同一の構成要素については、同一の符号を付しその詳細な説明は省略する。
図６に示す第３の実施形態では、体内観察装置（体内装置）１Ｂが、カプセル形状とした筐体２の一側面部に形成した観察壁面２ａ′を備えた構成とされる。この観察壁面２ａ′は、筐体２の側面に形成した凹部に設けられている。そして、この観察壁面２ａ′には、吸引ポンプ装置１０に接続された管路１２の開口部１２ａが配設されており、ポンプ本体１１の作動により開口部１２ａから吸引した体液は、略円形断面となる筐体２の直径方向に延びる管路１２，１３を通って開口部１３ａから排出される。
【手続補正２９】
【補正対象書類名】明細書
【補正対象項目名】００４０
【補正方法】変更
【補正の内容】
【００４０】
このような構成とすれば、横長となるカプセル形状の体内観察装置１Ｂが安定した状態で外周面側の生体組織に係止されるので、吸引ポンプ装置１０の作動により、体液と共に開口部１２ａへ向けて吸引された生体組織が観察壁面２ａ′に密着する。従って、体内装置１Ｂが腸のような管状臓器を観察する場合、特に、水平または水平に近い部分の生体組織を観察する場合には、体内観察装置１Ｂの安定した観察姿勢を容易に維持することができるので、確実な観察を行って鮮明な撮像画像を得ることができる。
また、上述した側面部の観察壁面２ａ′を備えた体内観察装置においては、たとえば図７に示す体内観察装置（体内装置）１Ｂ′のように、凹部とした観察壁面２ａ′の周囲を取り囲むようにして異物除去手段のブラシ８を設けることが好ましい。このブラシ８は、適当な密度で筐体２の外周面（側面）から突出した状態に設けられたものであり、体内観察装置１Ｂ′の移動時に進行方向前方の異物を除去するだけでなく、開口部１２ａから体液等が除去された観察領域内に異物が侵入するのを防止することもできる。従って、ブラシ８のような異物除去手段は、吸引ポンプ装置１０の負担を軽減すると共に、良好な観察環境の維持に有効である。
【手続補正３０】
【補正対象書類名】明細書
【補正対象項目名】００４１
【補正方法】変更
【補正の内容】
【００４１】
＜第４の実施形態＞
続いて、本発明に係る体内装置の第４の実施形態について、図８を参照して説明する。なお、第４の実施形態において上述した第１ないし第３の実施形態と同一の構成要素については、同一の符号を付しその詳細な説明は省略する。
この実施形態の体内観察装置（体内装置）１Ｃは、筐体２の側面に外径拡張手段のバルーン３０を設けたものである。このバルーン３０、拡張時に体内観察装置１Ｃの外径を拡大して、特に管腔の大きな臓器を塞ぐため、筐体２の側面（外周面）を全周にわたって取り囲むように設けられたリング状の部材である。
【手続補正３１】
【補正対象書類名】明細書
【補正対象項目名】００４３
【補正方法】変更
【補正の内容】
【００４３】
＜第５の実施形態＞
さて、これまで説明した実施形態においては、観察時に観察壁面が生体組織に密着した状態とする密着補助手段を体内装置（筐体）内に設けたものであったが、以下に説明する実施形態では、体内装置自体の自重を利用して生体組織に密着させている。すなわち、観察時に観察壁面と生体組織とを密着させる密着補助手段は、体液と体内装置との比重差となる。
【手続補正３２】
【補正対象書類名】明細書
【補正対象項目名】００４４
【補正方法】変更
【補正の内容】
【００４４】
図９及び図１０は、たとえば胃のように大きな臓器内を観察する体内観察装置（体内装置）１Ｄを示している。この体内観察装置１Ｄは、生体内に存在する体液の比重より大きな比重に設定されている。すなわち、図示の例では、カプセル全体の比重を胃液より大きく設定した体内観察装置１Ｄが、自重によって胃液中で確実に沈下するので、胃壁の生体組織に密着した状態で胃液に視界を妨げられることなく観察できる。この場合、体内観察装置１Ｄを飲み込んだ患者が適宜体位を変化させることにより、体内観察装置１Ｄは自重により低い位置へと移動するので、胃のように広い臓器内でもまんべんなく生体組織を観察することができる。
なお、この場合の体内観察装置１Ｄは、上述した各体内観察装置の比重設定を変更して使用してもよいし、あるいは、吸引ポンプ装置１０を取り除いたものでもよい。
【手続補正３３】
【補正対象書類名】明細書
【補正対象項目名】００４５
【補正方法】変更
【補正の内容】
【００４５】
上述した体内観察装置１Ｄは、その重心を観察壁面２ａ側に偏心させておくことが好ましい。
このように重心を観察壁面２ａ側とする体内観察装置（体内装置）１Ｄ′は、図１０に示すように、たとえば重り９を設けて重心が観察壁面２ａ側に移動するよう調整したり、あるいは、筐体２内に収納される各種構成部品の配置を工夫して重心位置を調整すればよい。このような構成により、体液中を沈下する際に重力で下向きとなった観察壁面２ａが生体組織側を向いた状態で密着するので、より確実な観察が可能となる。
【手続補正３４】
【補正対象書類名】明細書
【補正対象項目名】００５６
【補正方法】変更
【補正の内容】
【００５６】
図１６に示す投薬手段５０は、筐体２の外周面に開口する投薬開口（投薬開口部）５１ａを備えたシリンダ室５１内に薬剤を染み込ませたスポンジ状の薬剤収納部５２を設置し、この薬剤収納部５２を筐体２の内側からピストン５３で圧縮することにより薬剤を押し出して投薬するように構成されている。この場合の薬剤収納部５２は、筐体２内に薬剤を貯蔵して搬送する薬剤貯蔵・搬送手段として機能するものである。
【手続補正３５】
【補正対象書類名】明細書
【補正対象項目名】００６１
【補正方法】変更
【補正の内容】
【００６１】
また、図示の例では、筐体２の外周壁面を利用してシリンダ室を形成し、このシリンダ室が投薬管路５５を備えた壁面５６で区画された空間を薬剤貯蔵用の薬剤収納部５２としている。なお、投薬管路５５は薬剤収納部５２と筐体２の外部との間を連通状態とし、その先端が筐体２の壁面に開口して薬剤投入口（薬剤開口部）５５ａとなるので、ピストン５３の作動により圧縮されて押し出された薬剤は、薬剤投入口５５ａから患部近傍へ放出される。
【手続補正３６】
【補正対象書類名】明細書
【補正対象項目名】００６６
【補正方法】変更
【補正の内容】
【００６６】
続いて、上述した投薬手段５０の第６変形例を図２２に示して説明する。なお、上述した投薬手段及びその変形例と同一の構成要素については、同じ符号を付しその詳細な説明は省略する。
第６変形例の投薬手段５０Ｅでは、投薬前に空気等を放出して患部表面に存在する体液等を除去する異物除去手段として、圧縮空気放出装置（空気放出手段）７０を備えている。この圧縮空気放出装置７０は、ピストン７１がシリンダ７２内の空気を圧縮して放出口７３から患部付近に噴射するものであり、このような空気の噴射圧力により、生体組織の表面に付着している体液等の異物を除去することができる。従って、筐体２の観察系３で露出した患部の生体組織を確認するとともに、確実に投薬することができる。なお、このような異物除去手段を利用して患部周辺の異物を除去し、上述した観察系３に良好な視野を確保することもできる。
【手続補正３７】
【補正対象書類名】明細書
【補正対象項目名】００７１
【補正方法】変更
【補正の内容】
【００７１】
以上説明したように、本発明の体内装置は、観察系３の良好な観察視野を確保するため、観察対象の生体組織に観察壁面を密着させて体液等の異物を除去する密着補助手段を備えたものである。
また、体内装置が、生体組織に密着した状態で薬剤を投薬する投薬手段を備えることで、目的の患部に対して正確かつ確実な投薬が可能になる。
なお、本発明は上述した実施の形態に限定されることはなく、本発明の要旨を逸脱しない範囲内において適宜変更することができる。
【手続補正３８】
【補正対象書類名】明細書
【補正対象項目名】００７２
【補正方法】変更
【補正の内容】
【００７２】
【図１】本発明に係る体内装置の第１実施形態を示す断面図である。
【図２】図１に示した体内装置の動作説明図であり、（ａ）はポンプ本体を正転方向へ運転開始した状態、（ｂ）はポンプ本体の正転運転状態、（ｃ）は生体組織を吸引して密着させた状態、（ｄ）はポンプ本体を逆転方向へ運転した状態を示している。
【図３】図１に示した第１の実施形態の変形例を示す断面図である。
【図４】本発明に係る体内装置の第２の実施形態を示す断面図である。
【図５】図４に示した第２の実施形態の変形例を示す断面図である。
【図６】本発明に係る体内装置の第３の実施形態を示す断面図である。
【図７】図６に示した第３の実施形態の変形例を示す断面図である。
【図８】本発明に係る体内装置の第４の実施形態を示す断面図である。
【図９】本発明に係る体内装置の第５の実施形態を示す断面図である。
【図１０】図９に示した第５の実施形態の変形例を示す要部拡大断面図である。
【図１１】本発明に係る体内装置の第６の実施形態を示す側面図である。
【図１２】図１１に示した第６の実施形態の変形例を示す図で、（ａ）は圧迫具を用いた様子を示す斜視図、（ｂ）は圧迫具の構成例を示す断面図である。
【図１３】圧迫具の第１変形例を示す断面図である。
【図１４】圧迫具の第２変形例を示す図であり、（ａ）は断面図、（ｂ）は要部拡大断面図である。
【図１５】圧迫具の第３変形例を示す断面図である。
【図１６】本発明に係る体内装置の第７の実施形態として、投薬手段の構成例を示す断面図である。
【図１７】図１６の第７の実施形態に示した投薬手段の第１変形例を示す断面図である。
【図１８】図１６の第７の実施形態に示した投薬手段の第２変形例を示す断面図である。
【図１９】図１６の第７の実施形態に示した投薬手段の第３変形例を示す断面図である。
【図２０】図１６の第７の実施形態に示した投薬手段の第４変形例を示す断面図である。
【図２１】図１６の第７の実施形態に示した投薬手段の第５変形例を示す断面図である。
【図２２】図１６の第７の実施形態に示した投薬手段の第６変形例を示す断面図である。
【図２３】図１６の第７の実施形態に示した投薬手段の第７変形例を示す断面図である。
【図２４】図１６の第７の実施形態に示した投薬手段の第８変形例を示す断面図である。
【手続補正３９】
【補正対象書類名】明細書
【補正対象項目名】００７３
【補正方法】変更
【補正の内容】
【００７３】
１，１Ａ〜１Ｄ，１Ａ′，１Ｂ′，１Ｄ′体内観察装置（体内装置）  ２筐体  ２ａ  観察壁面  ３観察系（観察手段）  ４対物レンズ  ５撮像素子  ６ＬＥＤ  ７，７Ａフード（筒状部材）  ８ブラシ（異物除去手段）  ９重り  １０吸引ポンプ装置（異物除去手段、密着補助手段）  １１ポンプ本体（異物除去手段、流体移送手段）  １２，１３管路  １２ａ（一方の開口部）  １３ａ開口部（他方の開口部）  １４磁石  １５受電用アンテナ  １６圧力センサ  ２０制御部  ２１メモリ  ２２判断部  ２３電池（電源）  ３０バルーン（外径拡張手段）  ３１拡張手段  ３２管路  ４０，４０Ａ，４０Ｂ，４０Ｃ圧迫具（密着補助手段）  ４１アンテナ（受信手段）  ４２押圧部  ４２ａ先端部  ４３表示部  ４４グリップ部  ４５電磁石（磁場発生装置）  ４６給電用アンテナ  ４７磁気センサ（位置検知手段）  ５０，５０Ａ〜５０Ｇ，５０Ｄ′投薬手段  ５１シリンダ室  ５１ａ投薬開口（投薬開口部）  ５２、５２Ａ，５２Ｂ薬剤収納部  ５３ピストン  ５４針  ５５投薬管路  ５５ａ薬剤投入口（投薬開口部）  ５６壁面  ５７電源  ５８正極  ５９負極  ６０投薬開口  ６１噴霧装置  ６２放出口  ６３薬剤シリンダ  ６４，６７，６９、７１，８２ピストン  ６５薬剤放出装置  ６６，６８，７２，８１シリンダ  ７０圧縮空気放出装置（空気放出手段）  ７３放出口  ８０磁気応答バルブ  ８３バネ